(57)【要約】      （修正有）【課題】内容物の移し替えがスムーズにいく自立型袋を提供する。【解決手段】自立型袋は、注ぎ口２を傾けて、ネジ口８を備えるネジ口容器７に内容物９を注ぎ出し、詰め替えを行うものである。注ぎ口２を間に挟んで両側に、ネジ口８の先端８ａが嵌り込む凹部１０ａ、１０ｂが設けられ、少なくとも一方の凹部１０ａを上記ネジ口８の先端８ａに引っ掛けて内容物９を注ぎ出すことができるようにしたことを特徴とする【選択図】図２
0003183512.tif 000002
【実用新案登録請求の範囲】
【請求項１】
注ぎ口を傾けて、ネジ口を備えるネジ口容器に内容物を注ぎ出す自立型袋において、
前記注ぎ口を間に挟んで両側に、前記ネジ口の先端が嵌り込む凹部が設けられ、少なくとも一方の凹部を前記ネジ口の先端に引っ掛けて内容物を注ぎ出すことができるようにしたことを特徴とする自立型袋。
【請求項２】
前記自立型袋は、前後２面の壁面フィルムをシールして形成されており、前記凹部は、当該袋のシール部に設けられている請求項１に記載の自立型袋。
【考案の詳細な説明】
【技術分野】
【０００１】
本考案は一般に自立型袋に関するものであり、より特定的には、ネジ口容器のネジ口に動かないように固定して、詰め替えをスムーズに行うことができるように改良された詰め替えパウチに関する。
【背景技術】
【０００２】
従来、各種液体化粧品、クレンザー、柔軟剤、エマルジョン糊、各種飲料、醤油、ソース、麺つゆなどの液体調味料のような液状物や、粉乳、ココアなどの粉体は、主に、プラスチックボトル、ガラス瓶、金属缶などの保形性のある容器に充填され、流通・使用に供され、使用後の容器は廃棄処分にされていた。しかし、そのため資源が消費され、商品に占める容器コストの割合も無視できないものがあった。そこで、廃棄物処理の問題も考慮し、これらの容器は、使用後、分別処理され、回収、リサイクルすることも進められている。
【０００３】
このような見地から、使用後のボトルなどの容器に同一内容物を補充するために用いる詰め替え用袋としても使用することができる、図３に示すようなスタンディングパウチと呼ばれる詰め替え用袋が提案されている（特許文献１参照）。
【０００４】
図３に示した詰め替えパウチ１は、前後２面の壁面フィルム１ａ、１ｂを備え、これらの側部と下部をシールしてなる。前後２面の壁面フィルム１ａ、１ｂに、内側から外側に向かう膨らみを設け、注ぎ口２を形成している。注ぎ口２を開封するためのハーフカット線６が前後２面の壁面フィルム１ａ、１ｂに設けられている。詰め替えパウチ１は、壁面フィルム１ａ、１ｂの下部の間に、底面フィルム３を内側に向けて折り返し、底面フィルム折り返し部４まで挿入してなるガセット部５を有する。底部の折り返し部４を広げると自立する。ハーフカット線６を切断することにより、注ぎ口２を開封する。
【０００５】
図４（Ａ）を参照して、内容物を他の容器に移し替える際には、詰め替えパウチ１の注ぎ口２を、ネジ口容器７のネジ口８にあてがって、そのまま傾けて、内容物９を移し替える。
【先行技術文献】
【特許文献】
【０００６】
【特許文献１】特開２００２−１７９０９５号公報
【考案の概要】
【考案が解決しようとする課題】
【０００７】
従来の詰め替えパウチは以上のように構成されている。しかし、図４（Ｂ）を参照して、詰め替えパウチ１の注ぎ口２が、ネジ口容器７のネジ口８からずれた場合、内容物９がネジ口８の外へ漏れ出し、移し替えがうまくいかないという問題点があった。
【０００８】
本考案は、上記のような課題を解決するためになされたもので、内容物の移し替えがスムーズに行えるように改良された自立型袋を提供することを目的とする。
【課題を解決するための手段】
【０００９】
本考案に係る自立型袋は、注ぎ口を傾けて、ネジ口を備えるネジ口容器に内容物を注ぎ出す自立型袋において、上記注ぎ口を間に挟んで両側に、上記ネジ口の先端が嵌り込む凹部が設けられ、少なくとも一方の凹部を上記ネジ口の先端に引っ掛けて内容物を注ぎ出すことができるようにしたことを特徴とする。
【００１０】
自立型袋を構成するフィルムは、主にプラスチックを主体とする積層フィルムを用いるが、特に限定はされず、液状などの内容物の包装用袋に用いられている公知の積層フィルムは、いずれも使用することができ、充填する内容物の種類や充填後の加熱処理の有無など、使用条件に応じて適する材料を自由に選択して使用することができる。本考案の自立型袋に用いる積層フィルムは、熱可塑性樹脂フィルム／シーラント層又は熱可塑性樹脂フィルム／バリア層／シーラント層で構成される。
【００１１】
熱可塑性樹脂フィルムとしては、具体的には、二軸延伸ポリエステル系フィルム、二軸延伸ポリアミド系フィルム、二軸延伸ポリプロピレン系フィルム、またはこれら熱可塑性フィルムの異種多層延伸フィルムなどを例示することができる。異種多層延伸フィルムとしては、ポリエステル系樹脂層／ポリアミド系樹脂層を有する多層フィルムやポリエステル系樹脂層／ポリアミド系樹脂層／ポリエステル系樹脂層を有する多層フィルムを例示することができるが、これらに限定されるものではない。
【００１２】
バリア層としては、具体的には、アルミニウム箔、アルミ蒸着フィルム、透明無機蒸着フィルム、またはＥＶＯＨフィルムなどが使用できる。バリア層は主にガスバリヤー性または水蒸気バリア性を付与するために積層するものである。また、アルミニウム箔やアルミ蒸着フィルムなどは、内容物を光による変質から守るための遮光性を付与することができる。
【００１３】
最内層のシーラント層としては、オレフィン系樹脂による無延伸フィルムや一軸延伸フィルムを用いる場合、あるいは押出ラミネートによりシーラント形成する場合などがある。具体的には、ＬＬＤＰＥフィルム、ＨＤＰＥフィルム、ＣＰＰフィルムまたはＨＤＰＥ／ＬＬＤＰＥ多層フィルムなどが例示できる。
【００１４】
シーラント層には上記のほか、充填される内容物に応じて、エチレン・酢酸ビニル共重合体、エチレン・アクリル酸共重合体、エチレン・アクリル酸エステル共重合体、アイオノマーなども適宜選択して使用することができる。
【００１５】
上記自立型袋は、前後２面の壁面フィルムをシールして形成されており、上記凹部は、当該袋のシール部に設けられているのが好ましい。
【考案の効果】
【００１６】
本考案によれば、注ぎ口を間に挟んで両側に、ネジ口の先端が嵌り込む凹部が設けられ、少なくとも一方の凹部を上記ネジ口の先端に引っ掛けて内容物を注ぎ出すことができるようにしているので、注ぎ口がネジ口からずれるということはなく、内容物の移し替えがスムーズにいく。
【図面の簡単な説明】
【００１７】
【図１】（Ａ）は、本考案にかかる自立型袋の一例である詰め替えパウチの構成を示す正面図であり、（Ｂ）は、図１（Ａ）におけるＢ部拡大図である。
【図２】本考案にかかる詰め替えパウチの詰め替えの動作を説明する図である。
【図３】従来の詰め替えパウチの正面図である。
【図４】（Ａ）従来の詰め替えパウチの詰め替えの動作を説明する図であり、（Ｂ）は問題点を説明するための図である。
【考案を実施するための形態】
【００１８】
内容物の移し替えがスムーズに行える自立型袋を得るという目的を、注ぎ口を間に挟んで両側に、ネジ口容器のネジ口の先端が嵌り込む凹部を設け、少なくとも一方の凹部を上記ネジ口の先端に引っ掛けて内容物を注ぎ出すことができるようにすることによって実現した。以下、この考案の実施例を図を用いて説明する。各図において同一又は相当する部分には同一の参照番号を付し、その説明を繰り返さない。
【実施例１】
【００１９】
図１（Ａ）は、本考案にかかる自立型袋の一例である詰め替えパウチの構成を示す正面図であり、図１（Ｂ）は、図１（Ａ）におけるＢ部拡大図である。図２は詰め替えの動作を説明する図である。
【００２０】
これらの図を参照して、実施例１に係る詰め替えパウチ１は、前後２面の壁面フィルム１ａ、１ｂを備え、これらの側部と下部をシールしてなる。前後２面の壁面フィルム１ａ、１ｂに、内側から外側に向かう膨らみを設け、注ぎ口２を形成している。注ぎ口２を開封するためのハーフカット線６が前後２面の壁面フィルム１ａ、１ｂに設けられている。図面中、斜めのハッチングで示した部分がシール部１１である。注ぎ口２を間に挟んで両側に、ネジ口８の先端８ａが嵌り込む凹部１０ａ、１０ｂが設けられている。凹部１０ａ，１０ｂは、実施例ではＵ字状の凹部であるが、凹部はどんな形状でもよい。凹部１０ａ、１０ｂは、当該袋のシール部１１に設けられている。詰め替えパウチ１は、壁面フィルム１ａ、１ｂの下部の間に、底面フィルム３を内側に向けて折り返し、底面フィルム折り返し部４まで挿入してなるガセット部５を有する。底部の折り返し部４を広げると自立する。ハーフカット線６を切断することにより、注ぎ口２を開封する。
【００２１】
次に詰め替えの動作について説明する。図２（Ａ）は、使用例の一例であり、図２（Ｂ）は、他の使用例の一例である。図１（Ｂ）を参照して、ハーフカット線６を切断し、注ぎ口２を開封する。図２（Ａ）を参照して、注ぎ口２をネジ口容器７のネジ口８まで持っていく。そして、注ぎ口２を間に挟んで両側に設けられた凹部の一方１０ａを、ネジ口８の先端８ａに引っ掛ける。本考案によれば、注ぎ口２をネジ口容器７のネジ口８にあてがったときに、ネジ口８の先端８ａが凹部１０ａに嵌り込み、パウチ袋１の注ぎ口２がネジ口容器７のネジ口８にしっかりと固定されて左右に揺れることなく安定化する。その結果、注ぎ口２がネジ口容器７のネジ口８からずれて外れるということはなく、内容物９の移し替えがスムーズにいく。
【００２２】
より好ましくは、図２（Ｂ）に示すように、注ぎ口２を間に挟んで両側に設けられた凹部１０ａ、１０ｂの双方に、ネジ口８の先端８ａを嵌め込む。このような使用例によれば、注ぎ口２をネジ口容器７のネジ口８にあてがったときに、ネジ口８の先端８ａが凹部１０ａ、１０ｂの双方に嵌り込み、パウチ袋１の注ぎ口２がネジ口容器７のネジ口８にしっかり嵌りこみ、左右に揺れることなく安定化する。その結果、内容物９が外部に漏れることなく、移し替えがよりスムーズにいく。
【００２３】
詰め替えパウチ１は、台所用洗剤、ハンドソープ、ボディソープ、シャンプー、リンス、コンディショナーなどに利用することができる。
【００２４】
上記実施例では、ハーフカット線付きの取り出し口を例示したが、この考案はこれに限られるものでなく、キャップ付きの取り出し口であってもよい。
【００２５】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２６】
本考案に係る詰め替え自立型袋によれば、注ぎ口がネジ口容器のネジ口からずれて外れるということはなく、内容物の移し替えがスムーズにいく。
【符号の説明】
【００２７】
１              詰め替えパウチ
１ａ、１ｂ      壁面フィルム
２              注ぎ口
３              底面フィルム
４              底面フィルム折り返し部
５              ガセット部
６              ハーフカット線
７              ネジ口容器
８              ネジ口
８ａ            ネジ口の先端
９              内容物
１０ａ，１０ｂ  凹部
１１            シール部
【図１】
0003183512.tif 000003
【図２】
0003183512.tif 000004
【図３】
0003183512.tif 000005
【図４】
0003183512.tif 000006